(57)【要約】【課題】ユーザーが現在視聴している番組の再放送を気軽に検索することが可能なテレビジョン受像機を目的とする。【解決手段】現在視聴中の番組における前記ＩＤデーターを取得するＩＤ取得手段と、番組が選局された際に、現在視聴中の番組の番組開始時刻からの経過時間を判断する経過時間判断手段と、前記ＩＤデーター及び電子番組表をもとに、視聴中の放送の次回以降の放送回の番組、又は再放送番組を検索する番組検索手段と、前記経過時間が番組の開始時間付近であると判断された場合は、前記番組検索手段に、視聴中の放送の次回以降の放送回の番組を検索させ、前記経過時間が番組の開始時刻から所定時間経過していると判断された場合は、前記番組検索手段に、視聴中の番組の放送回以下の放送回の再放送番組を検索させる検索制御手段と、前記検索された番組を画面上に表示させる検索結果表示手段と、を有する。【選択図】図４
2011124793.tif 000002
【特許請求の範囲】
【請求項１】
番組を識別するＩＤデーターが合成された放送信号を取得可能なテレビジョン受像機において、
現在視聴中の番組における前記ＩＤデーターを取得するＩＤ取得手段と、
番組が選局された際に、現在視聴中の番組の番組開始時刻からの経過時間を判断する経過時間判断手段と、
前記ＩＤデーター及び電子番組表をもとに、視聴中の放送の次回以降の放送回の番組、又は再放送番組を検索する番組検索手段と、
前記経過時間が番組の開始時間付近であると判断された場合は、前記番組検索手段に、視聴中の放送の次回以降の放送回の番組を検索させ、前記経過時間が番組の開始時刻から所定時間経過していると判断された場合は、前記番組検索手段に、視聴中の番組の放送回以降の放送回の再放送番組を検索させる検索制御手段と、
前記検索された番組を画面上に表示させる検索結果表示手段と、を有することを特徴とするテレビジョン受像機。
【請求項２】
前記検索制御手段は、自動モードに設定された場合は、前記経過時間に応じた検索処理を実行させ、手動モードに設定された場合は、操作入力に応じて前記いずれかの検索処理を実行させることを特徴とする請求項１に記載のテレビジョン受像機。
【請求項３】
前記経過時間判断手段は、電子番組表に記録された番組の放送開始時刻と、前記番組が選局された時刻の差分をもとに、経過時間を判断することを特徴とする請求項１又は請求項２のいずれか一項に記載のテレビジョン受像機。
【請求項４】
前記検索結果表示手段は、電子番組表に記録された番組の内、前記番組検索手段に検出された番組の背景色を変更させて表示することを特徴とする請求項１〜請求項３のいずれか一項に記載のテレビジョン受像機。
【請求項５】
前記検索制御手段は、自動モードに設定された場合は、前記経過時間に応じた検索処理を実行させ、手動モードに設定された場合は、操作入力に応じて前記いずれかの検索処理を実行させ、
前記経過時間判断手段は、電子番組表に記録された番組の放送開始時刻と、前記番組が選局された時刻の差分をもとに、経過時間を判断し、
前記検索結果表示手段は、電子番組表に記録された番組の内、前記番組検索手段に検出された番組の背景色を変更させて表示することを特徴とする請求項１に記載のテレビジョン受像機。
【発明の詳細な説明】
【技術分野】
【０００１】
本発明は、テレビジョン受像機に関し、特に、番組を特定するためのＩＤデーターが合成された放送信号を受信可能なテレビジョン受像機に関する。
【背景技術】
【０００２】
テレビジョン放送において、番組を所定期間連続して放送する場合がある（以後、このような番組をシリーズ番組と記載する。）。例えば、シリーズ番組では、放送回数が全１２話で構成された番組を隔週で放送し、ユーザーに一連の内容を提供している。また、このシリーズ番組では、通常の放送とは別に、一度放送した番組を期間をおいて再度放送する（いわゆる再放送）が行われている。例えば、ある時間帯に放送した番組を一ヵ月後の所定時間に放送することで、番組を視聴しなかったユーザーが再度この番組を視聴することが可能となる。
【０００３】
上記したシリーズ番組を放送する装置において、このシリーズ番組の再放送番組を検索する装置が開示されている（例えば、特許文献１−５参照。）。
【先行技術文献】
【特許文献】
【０００４】
【特許文献１】特開２００２ー３５４３５４号公報
【特許文献２】特開２００７−１０４４２０号公報
【特許文献３】特開２００９−４４３２２号公報
【特許文献４】特開２００２−３０５６９２号公報
【特許文献５】特開２００６−９４３１７号公報
【発明の概要】
【発明が解決しようとする課題】
【０００５】
ユーザーが番組を視聴している場合において、この番組を再度視聴したいと考える場合がある。例えば、たまたま視聴した番組が放送途中であった場合に、ユーザーがこの番組を初めから視聴したいと考えた場合、ユーザーは番組開始時刻やタイトル名といった番組を特定するための情報を持ち合わせていない。そのため、ユーザーは番組表等を参照して現在視聴中の番組の情報を取得した後、再放送が開始されるか否かを検索する必要があった。
【０００６】
本発明は、上記課題にかんがみてなされたもので、ユーザーが現在視聴している番組の再放送を気軽に検索することが可能なテレビジョン受像機の提供を目的とする。
【課題を解決するための手段】
【０００７】
上記課題を解決するために、本発明では、番組を識別するＩＤデーターが合成された放送信号を取得可能なテレビジョン受像機において、現在視聴中の番組における前記ＩＤデーターを取得するＩＤ取得手段と、番組が選局された際に、現在視聴中の番組の番組開始時刻からの経過時間を判断する経過時間判断手段と、前記ＩＤデーター及び電子番組表をもとに、視聴中の放送の次回以降の放送回の番組、又は再放送番組を検索する番組検索手段と、前記経過時間が番組の開始時間付近であると判断された場合は、前記番組検索手段に、視聴中の放送の次回以降の放送回の番組を検索させ、前記経過時間が番組の開始時刻から所定時間経過していると判断された場合は、前記番組検索手段に、視聴中の番組の放送回以下の放送回の再放送番組を検索させる検索制御手段と、前記検索された番組を画面上に表示させる検索結果表示手段と、を有する構成としてある。
【０００８】
上記のように構成された発明では、ユーザーが現在視聴中の番組の再放送を検索したい場合において、ユーザーの操作入力を受け付けると、ＩＤ取得手段は、現在視聴中の番組におけるＩＤデーターを取得する。また、経過時間判断手段は、番組が選局された際に、現在視聴中の番組の番組開始時刻からの経過時間を判断する。そして、前記経過時間が番組の開始時間付近であると判断された場合は、検索制御手段は、番組検索手段に、視聴中の放送の次回以降の放送回の番組を検索させ、前記経過時間が番組の開始時刻から所定時間経過していると判断された場合は、視聴中の番組の放送回以下の放送回の再放送番組を検索させる。そのため、検索結果は、検索結果表示手段により、画面上に表示される。
【０００９】
そのため、ユーザーは再放送番組を検索するのにその番組名や放送内容を入力する必要がなく、視聴状況に応じて検索対象とする番組（放送中の番組、再放送番組）を自動で選択することができる。また、選局されたタイミングに応じて、以後の検索対象を自動で振り分けるため、ユーザーが現在視聴している番組の再放送を気軽に検索することができる。
【００１０】
また、番組検索手段が実行する検索処理の一例として、前記番組検索制御手段は、自動モードに設定された場合は、前記経過時間に応じた検索処理を実行させ、手動モードに設定された場合は、操作入力に応じて前記いずれかの検索処理を実行させる構成としてもよい。
上記のように構成された発明では、ユーザーによる選択により本発明にかかる番組検索処理を実行することができる。
【００１１】
そして、経過時間判断手段が経過時間を判断する手法の一例としては、前記経過時間判断手段は、電子番組表に記録された番組の放送開始時刻と、前記番組が選局された時刻の差分をもとに、経過時間を判断する構成としてもよい。
上記のように構成された発明では、より正確に経過時間を判断することができる。
【００１２】
また、前記検索結果表示手段は、電子番組表に記録された番組の内、前記番組検索手段に検出された番組の背景色を変更させて表示する構成としてもよい。
上記のように構成された発明では、検出された番組をユーザーにより分かり易く表示することができる。
【００１３】
そして、本発明の他の構成として、前記検索制御手段は、自動モードに設定された場合は、前記経過時間に応じた検索処理を実行させ、手動モードに設定された場合は、操作入力に応じて前記いずれかの検索処理を実行させ、前記経過時間判断手段は、電子番組表に記録された番組の放送開始時刻と、前記番組が選局された時刻の差分をもとに、経過時間を判断し、前記検索結果表示手段は、電子番組表に記録された番組の内、前記番組検索手段に検出された番組の背景色を変更させて表示する構成としてもよい。
【発明の効果】
【００１４】
以上説明したように本発明によれば、ユーザーが見たい番組の再放送を負荷なく検索することができる。
また請求項２にかかる発明によれば、ユーザーが本発明の実行の有無を選択することができる。
そして請求項３にかかる発明によれば、より正確に経過時間を判断することができる。  さらに請求項４にかかる発明によれば、検出された番組をユーザーにより分かり易く表示することができる。
【図面の簡単な説明】
【００１５】
【図１】第１の実施形態にかかるテレビジョン受像機の構成を示すブロック図である。
【図２】電子番組表を説明するための図である。
【図３】ＯＳＤ回路９７により出力される再放送番組の検索にかかる設定画面を説明する図である。
【図４】テレビジョン受像機９０により実行される再放送番組の検索処理を説明するためのフローチャートである。
【図５】図４のステップＳ１０においてディスプレイ９５に表示される検索結果を示す図である。
【図６】ディスプレイ９５に表示される電子番組表を説明する図である。
【図７】ディスプレイ９５に表示される録画設定画面を示す図である。
【図８】第１の検索処理の流れを説明するフローチャートである。
【図９】第２の番組検索における具体的な流れを示すフローチャートである。
【発明を実施するための形態】
【００１６】
以下、図を参照しつつ下記の順序に従って本発明の実施形態を説明する。
（１）第１の実施形態：
（２）その他の実施形態：
【００１７】
（１）第１の実施形態：
以下、図を参照して、この発明に係るテレビジョン受像機を具体化した第１の実施形態について説明する。図１は、第１の実施形態にかかるテレビジョン受像機の構成を示すブロック図である。なお、第１の実施形態では、テレビジョン受像機９０は、その内部に録画再生部（録画手段）を備えて構成されている。
【００１８】
テレビジョン受像機９０は、リモコン装置７０を介した操作を受け付けて番組を放送する他、メニュー画面上でリモコン装置７０等を用いた操作入力を受け付けることで、録画再生部８０に録画予約を実行させることができる。さらに、テレビジョン受像機９０は、ユーザーが番組を視聴している場合に、この番組の再放送が行われるか否かを検索し、検索結果をもとに再放送番組の日時の表示、又は録画予約を実行させることができる。以下、本実施形態にかかるテレビジョン受像機９０の構成を説明する。
【００１９】
＝＝＝テレビジョン受像機の構成＝＝＝
テレビジョン受像機９０は以下の要部を備えて構成されている。符号９１は、外部メモリーであり、後述するチャンネルマップやＩＤデーターを記憶する。符号９２は、制御部であり、テレビジョン受像機９０の駆動を制御する。符号９３は、フロントエンド部であり、図示しないアンテナが受信した放送電波からリモコン装置により選局されたチャンネルのデジタルデーターを抽出する。符号９４は、バックエンド部であり、取得されたデジタルデーターから映像信号及び音声信号を復号化し、出力する。符号９５は、ディスプレイであり、復号された映像信号をもとに映像を出力する。符号９６は、スピーカーであり、復号された音声信号をもとに音声を出力する。符号９７は、ＯＳＤ回路であり、バックエンド部９４から出力される映像信号にＯＳＤ画像を合成する。符号９８は、リモコン受信部であり、リモコン装置７０から出力される赤外線信号を受信し、制御部９２に制御コマンドを出力する。符号８０は、録画再生部であり、制御部９２からの制御信号に応じて番組の録画／再生を行う。
【００２０】
制御部９２は、リモコン受信部９８を介して入力される制御コマンド、及び所定のプログラムの実行により、テレビジョン受像機９０の駆動を制御する。なお、制御部９２は、図示しないＣＰＵや、ＣＰＵを駆動させるためのプログラムやデーターが記憶されたＲＯＭ、及びＣＰＵのワークエリアとして作用するＲＡＭを備えて構成されている。さらに、制御部９２は、その内部に計時手段として作用するタイマー９２ａを備えており、このタイマー９２ａにより経過時間を計測することができる。なお、制御部９２とテレビジョン受像機９０とを構成する各部はバスを介して接続されており、このバスを介して制御が行われる。
【００２１】
フロントエンド部９３は、各種アンテナが受信した放送電波からリモコン装置により選局されたチャンネルの変調信号を抽出する選局部や、選局された変調信号からデジタルデーターを抽出する伝送路復号部を備えて構成されている。本実施形態では、フロントエンド部９３は、デジタル放送を受信する構成として説明を行う。
【００２２】
バックエンド部９４は、取得されたデジタルデーターのスクランブルを解除するデスクランブル部９４ａや、スクランブルを解除されたデジタルデーターからＭＰＥＧ形式の映像・音声信号、及びＴＳ情報を取り出すＭＰＥＧ多重分離部９４ｂ、ＴＳ情報の中のＳＩ情報を処理する基本デコーダー部９４ｃ、更には、映像・音声信号を復号する図示しない映像・音声復号部を備えて構成されている。ここで、ＳＩ情報には、番組情報を特定するためのＥＩＴ情報が含まれており、基本デコーダー部９４ｃは、ＥＩＴ情報を用いて電子番組表を作成する他、このＥＩＴ情報に含まれるサービス記述子、イベント記述子、及びシリーズ記述子を取得する。
【００２３】
サービス記述子とは、チャンネルを放送する放送事業者が記述されたデーターであり、本実施形態では放送事業者を特定するために用いられる。
【００２４】
イベント記述子とは、番組名（イベント名）及び番組名に関する短い文字情報が記述されたデーターであり、本実施形態では番組名を特定するために用いられる。
【００２５】
シリーズ記述子とは、所定のアプリケーションにより番組を関連付けて扱うためのデーターであり、本実施形態では、このシリーズ記述子を所定番組とこの番組の再放送番組とを関連付けるデーターとして使用する。ここで、本実施形態では、再放送番組の検索に用いるシリーズ記述子として、「series_id」、「episode_number」、「repeat_label」、「last_episode_number」を使用する。「series_id」は、同一のメディアを特定するものであり、同一の番組であれば再放送された番組であっても同じ値を有する。また、「episode_number」は、同一番組がシリーズで放送されている場合に各放送回を特定するための値であり、番組の放送回数ごとに異なった値となる。そして、「repeat_label」は、ある番組が期間を別にして放送される場合にその放送回数（再放送の回数）を特定するための値であり、再放送の回数毎に異なった値となる。「last_episode_number」は、最終回までの放送回数を指定するものであり、「episode_number」と「last_episode_number」の番号が一致したものが最終回の放送となる。
【００２６】
録画再生部８０は、例えば、ＢＤ（ブルーレイディスク）やＤＶＤ等のメディア、又はＨＤＤに記憶されたデーターをピックアップ部により読取り、インターフェースを通じてバックエンド部９４に送信する。また、録画再生部８０がバックエンド部９４から出力されるデーターをインターフェースを通じて受信した場合は、取得したデーターをピックアップ部を用いてメディア又はＨＤＤに記憶させる。なお、録画再生部８０は、図示しないシステムコントローラーを内部に備え、制御部９２からの制御コマンドによりその駆動を制御する。
【００２７】
外部メモリー９１は、番組データーに付加されて送信されたＳＩ情報、及びこのＳＩ情報により作成された電子番組表を記憶している。基本デコーダー部９４ｃはＳＩ情報をもとに各ネットワーク（地上デジタル、ＢＳ、ＣＳ）毎に、電子番組表を製作し、外部メモリー９１に記憶する。図２は、電子番組表を説明するための図である。図２に示す電子番組表では、横軸を各チャンネル軸とし、縦軸を時間軸として、所定ネットワークにおける一週間分の放送予定の番組が特定できるよう記録されている。また、この番組表に記録される各番組は上記したサービス記述子、イベント記述子、及びシリーズ記述子が対応付けて記録されている。
【００２８】
ＯＳＤ回路９７は、制御部９２から出力される映像データーにＯＳＤ画像を合成して出力させる。ＯＳＤ回路９７が出力させるＯＳＤ画像としては、テレビジョン受像機９０の各種設定を選択するためのＧＵＩ（Graphical User Interface）であるメニュー画面、及び再放送番組の検索にかかる各種画面が含まれる。なお、ＯＳＤ回路９７が出力するＯＳＤ画像は予め内部メモリーに記憶されたものであり制御コマンドに応じて出力されるＯＳＤ画像が決定される。
【００２９】
リモコン装置７０は、チャンネルを選局するためのチャンネルキー７１の他、テレビジョン受像機９０に現在視聴中の番組の再放送番組を検索させるための制御コマンドを送信する再放送番組検索キー７２や、検索結果として表示された再放送予定の番組をテレビジョン受像機９０に録画予約させる制御コマンドを送信する録画予約キー７３を備えて構成されている。
【００３０】
上記構成により、テレビジョン受像機９０はアンテナにより受信されたテレビジョン放送をもとに番組を放送する。また、ユーザーが番組を視聴している場合にリモコン装置７０の再放送番組検索キー７２を操作すると、テレビジョン受像機９０は現在放送中の番組が再放送されるか否かを電子番組表から検索する。このとき、本実施形態では、現在視聴中の番組がシリーズで放送されている番組である場合に、この番組の放送経過時刻（放送が開始されてから経過した時刻）に応じて、検索対象とする番組を自動で切換える。
上記構成により、再放送番組の検索はユーザーがリモコン装置７０の再放送番組検索キー７２を操作するのみで実行することができ、番組を特定するための番組名や識別データーの入力を必要としない。そのため、ユーザーが見たい番組の再放送を負荷なく検索することができる。以下、テレビジョン受像機９０における再放送番組の検索処理を説明する。
【００３１】
＝＝＝再放送番組を検索する際に使用される検索処理について＝＝＝
以下、本実施形態にかかる再放送番組の検索手法を説明する前に本実施形態で使用される「第１の番組検索」と「第２の番組検索」について説明を行う。図３は、ＯＳＤ回路９７により出力される番組の検索にかかる設定画面を説明する図である。本実施形態にかかる再放送番組の検索はユーザーの設定によって検索実行の有無を切換えることができる。即ち、ユーザーがリモコン装置７０を操作して、図３に示す設定画面を表示させ、この設定画面にて「自動検索」を「入」に設定した場合は、番組視聴中にリモコン装置７０の再放送番組検索キー７２を操作するだけで、テレビジョン受像機９０に対して現在視聴中の番組にかかる再放送番組を検索させることができる。さらに、「自動検索」が選択された状態で、ユーザーが現在視聴中の番組を選局した時刻が番組の放送開始時刻から所定時間を経過していない場合は「第１の番組検索」が実行される。また、「自動検索」が選択された状態で、ユーザーが現在放送中の番組を選局した時刻が番組の放送開始時刻から所定時間を経過している場合は、「第２の番組検索」が実行される。一方、ユーザーが「自動選択」を選択しない場合は、自動検索は実行されず、その場合は「第１の番組検索」及び「第２の番組検索」はユーザーによる手動入力により選択される。
【００３２】
第１の番組検索では、視聴中の放送回の次回以降の放送を検索する。即ち、ユーザーがシリーズで放送される番組を開始時刻から視聴している場合は、ユーザーはこの番組について認知しており、且つ、前回放送分も視聴している可能性が高いと考え、視聴中の放送回以降の番組を検索する。
【００３３】
第２の番組処理では、視聴中の放送回より前の回の再放送番組を検索する。即ち、シリーズで放送される番組の放送途中で番組検索キー７２を操作した場合、ユーザーはこの番組についてたまたま視聴した場合が高いと考え、視聴中の放送回より前の放送回における再放送番組を検索する。
【００３４】
＝＝＝番組視聴中の再放送番組の検索処理＝＝＝
図４は、テレビジョン受像機９０により実行される再放送番組の検索処理を説明するためのフローチャートである。図４に示す処理は、ユーザーがテレビジョン受像機９０により所定の番組を視聴している場合に実行される処理である。
【００３５】
ステップＳ１において、ユーザーが任意の番組を視聴している状態で、「自動検索」が選択されている場合（ステップＳ２：ＹＥＳ）、ユーザーがリモコン装置７０の再放送番組検索キー７２を操作すると、制御部９２は制御コマンドを受信し（ステップＳ３：ＹＥＳ）、ステップＳ５に進む。一方、「自動検索」が選択されていない場合は（ステップＳ３：ＮＯ）、手動モードに応じた処理を行なう（ステップＳ４）。
【００３６】
ステップＳ５において、制御部９２は現在視聴中の番組の経過時間Ｔｐを算出する。即ち、制御部９２は、現在放送中の番組が選局された時刻ｔｓを予め内部のメモリーに記憶しており、電子番組表に記録された現在放送中の番組の放送時刻ｔｂから時刻ｔｓを引いた時刻を経過時間Ｔｐとする。そのため、ステップＳ５の処理において制御部９２は、本発明の経過時間判断手段を実現する。
【００３７】
ステップＳ６において、算出した経過時間Ｔｐが所定時間Ｔ１を越えない場合は（ステップＳ６：ＹＥＳ）、制御部９２は第１の番組検索を実行する。この第１の番組検索においては、現在の電子番組表における同一チャンネルの全ての番組が比較されるか１年が経過した場合はステップＳ９に進む。
【００３８】
一方、ステップＳ６において、算出した経過時間Ｔｐが所定時間Ｔ１以上である場合は（ステップＳ６：ＮＯ）、制御部９２は第２の番組検索を実行する。この第２の番組検索においては、全てのネットワークの番組が比較対象とされるか１年が経過した場合はステップＳ９に進む。そのため、ステップＳ６の処理において、制御部９２は、本発明の検索制御手段を実現する。
【００３９】
ステップＳ９において、対象番組が検出された場合は（ステップＳ９：ＹＥＳ）、制御部９２は検索結果をディスプレイ９５に表示する（ステップＳ１０）。一方、対象番組が検出されない場合は、ステップＳ１１に進む。
【００４０】
図５は、図４のステップＳ１０においてディスプレイ９５に表示される検索結果を示す図である。図５に示すように、図中、画面右下には、検索結果として、再放送番組が放送される「放送局」、「日時」、「放送時間」が表示される。即ち、現在放送される番組の視聴を邪魔しないように、画面右下に検索結果として「ＡＡＡ放送局、５／２６（火）１５：００−１５：３０」、「ＡＡＡ放送局、５／２７（火）５：００−５：３０」が表示される。この検索結果は電子番組表に関連づけて記憶されるＳＩ情報をもとに作成される。そのため、ユーザーは番組の視聴を邪魔されることなく検索結果を参照することができる。以上、ステップＳ１０の処理により制御部９２は本発明の検索結果表示手段を実現する。
【００４１】
また、この検索結果表示画面において、ユーザーが電子番組表をディスプレイ９５に表示させた場合は、電子番組表の検索対象とされた番組の背景色が変更される。図６は、ディスプレイ９５に表示される電子番組表を説明する図である。図６に示すように検出された番組の背景色が変更され、ユーザーが検索番組を確認することが可能となる。
【００４２】
さらに、検索結果表示画面が表示された状態で、ユーザーがリモコン装置７０の録画予約キー７３を操作すると、制御部９２は、録画再生部８０に対して検索された番組の録画予約を実行させる。図７は、ディスプレイ９５に表示される録画設定画面を示す図である。ユーザーは録画設定画面に表示された各アイコンを操作して、再放送予定番組の録画予約を行うことが可能となる。
【００４３】
一方、ステップＳ１１において、最終回の番組が検出された場合（第１の番組検索において）、ユーザーが視聴した番組の放送回が検出された場合（第２の番組検索において）、又は一定期間が経過した場合（第１の番組検索、及び第２の番組検索）は、制御部９２は番組の検索を終了する。また、それ以外の場合は、制御部９２は番組の検索を継続する。
【００４４】
以上説明したように、本発明にかかるテレビジョン受像機９０では、ユーザーが任意の番組を視聴している状況で、この番組を再度、視聴したいと考えた場合などに、リモコン装置７０の再放送番組検索キー７２を操作することにより、現在放送中の番組におけるＩＤデーターを取得し、このＩＤデーターをもとに電子番組表から他のネットワークで放送される再放送番組を検索する。そのため、ユーザーは再放送番組の検索において、番組名称の入力や、その他、番組を特定するための入力を行う必要がなく、ユーザーの操作負荷を軽減しつつ再放送番組を検索することができる。
【００４５】
＝＝＝第１の番組検索の具体的な流れ＝＝＝
図８は、第１の検索処理の流れを説明するフローチャートである。以下、図８を参照して第１の番組検索の具体的な流れを説明する。
【００４６】
ステップＳ１１において、制御部９２は外部メモリー９１に記憶されたシリーズ記述子を取得する。即ち、制御部９２は、シリーズ記述子として、「series_id」、「repeat_label」、「episode_number」、「last_episode_number」を取得する。
【００４７】
ステップＳ１３において、制御部９２は電子番組表に記録された同一チャンネルの全ての番組に対して検索を行なっていない場合は、ステップＳ１４に進む。
【００４８】
ステップＳ１４において、制御部９２は、ユーザーが視聴した番組に対応するシリーズ記述子、及び外部メモリー９１に記憶された番組表を参照して、再放送番組の比較を行なう。即ち、制御部９２は取得した「series_id」、「repeat_label」のシリーズ記述子と、電子番組表に記録された各番組が備えるシリーズ記述子とを比較する。ここで、再放送番組と通常放送の番組では、「repeat_label」が異なるため、判別を行うことができる。
【００４９】
制御部９２は、「series_id」及び「repeat_label」が一致する番組を電子番組表から検出した場合は(ステップＳ１５：ＹＥＳ）、ステップＳ１６進む。
【００５０】
次に、ステップＳ１６において、制御部９２は、ステップＳ１５において検出した番組が最終回であるか否かを判断する。即ち、シリーズ記述子の「episode_number」と「last_episode_number」とが一致する番組は最終回であるため、上記「episode_number」が「last_episode_number」により示される放送回数Ｎ以下である場合は（ステップＳ１６：ＹＥＳ）、この番組を検索対象として判断する（ステップＳ１７）。
【００５１】
以下、ステップＳ１８において、制御部９２は比較対象を他の番組とする。また、検索開始から一年が経過した場合（ステップＳ１２：ＹＥＳ）、制御部９２は検索を終了し、メモリーに記憶されたシリーズ記述子を削除して（ステップＳ１９）、図４に示すフローチャートのステップＳ９に戻る。同様に、同一チャンネルの全ての番組を範囲として番組の検索がされた場合（ステップＳ１３：ＹＥＳ）、制御部９２は、検索を終了し、図４に示すフローチャートのステップＳ９に戻る。以上、第１の番組検索における具体的な流れについて説明した。
【００５２】
＝＝＝第２の番組検索における具体的な流れ＝＝＝
図９は第２の番組検索における具体的な流れを示すフローチャートである。以下、図９を参照して第２の番組検索を説明する。
【００５３】
ステップＳ２１において、制御部９２は、現在視聴中の番組におけるサービス記述子、イベント記述子、及びシリーズ記述子「episode_number」を取得し、外部メモリー９１に記憶する。
【００５４】
ステップＳ２２において、番組情報取得より１年が経過していない場合は、制御部９２は、ステップＳ２３に進む。また、ステップＳ２３において、全ネットワークにおいて番組の比較が行われていない場合は、制御部９２は、ステップＳ２４に進む。また、ステップＳ２４において、全ネットワークの全チャンネルを比較対象としていない場合は（ステップＳ２４：ＮＯ）、ステップＳ２５に進む。
【００５５】
ステップＳ２５において、電子番組表に記録された放送事業者がステップＳ２１で取得したイベント記述子により指定される放送事業者と関係があるかを判断する。即ち、制御部９２は、ステップＳ１１で取得したサービス記述子と電子番組表に記録された比較対象の番組のサービス記述子とを比較し、放送事業者が同一又は関連があるかを判断する。ここで、関連する放送事業者間では、事業者名の一部が同一である場合もあるため、事業者名の内その一部（例えば、ＡＡＡ放送と、ＡＡＡネットワークにおける「ＡＡＡ」の文字。）が同じであるものを関連する放送事業者として判断してもよい。一方、放送事業者が同じでなければ（ステップＳ２５：ＮＯ）、制御部９２は比較対象を他のチャンネルに切換える（ステップＳ３２）。
【００５６】
放送事業者が同じである場合において（ステップＳ２５：ＹＥＳ）、比較対象チャンネルにおける全ての番組を比較していなければ（ステップＳ２６：ＮＯ）、ステップＳ２７に進む。
【００５７】
ステップＳ２７では、制御部９２はステップＳ２１で取得されたイベント記述子及びシリーズ記述子の「episode_number」と、電子番組表に記録された比較対象の番組のイベント記述子及びシリーズ記述子の「episode_number」を比較する。そして、両番組のイベント記述子が一致する場合は（ステップＳ２８：ＹＥＳ）、制御部９２はステップＳ２９に進む。一致しない場合は、制御部９２は、比較対象を他の番組とする（ステップＳ３１）。
【００５８】
ステップＳ２９では、制御部９２は、比較対象の番組がユーザーが視聴した番組より前の回の再放送番組であるか否かを判断する。即ち、電子番組表に記録された比較対象の「episode_number」がステップＳ２１で取得した「episode_number」が示す放送回数Ｎより小さい場合（ステップＳ２９：ＹＥＳ）、制御部９２はこの番組を所望の番組と判断する（ステップＳ３０）。
【００５９】
制御部９２は比較対象チャンネルにおける次の番組を比較対象とし（ステップＳ３１）、全ての番組が比較対象となるまで（ステップＳ２６：ＹＥＳ）、制御部９２は、ステップＳ２６−Ｓ３１の処理を繰返す。同様に、制御部９２は、比較対象ネットワークにおける次のチャンネルを比較対象とし、全てのチャンネルが比較対象となるまで（ステップＳ２４：ＹＥＳ）、制御部９２は、ステップＳ２５−Ｓ３２の処理を繰返す。
【００６０】
さらに、全てのネットワークが比較されると（ステップＳ２４：ＹＥＳ）、制御部９２は比較対象を他のネットワークに切換える（ステップＳ３３）。例えば、比較対象が地上デジタル放送であったものがＢＳデジタル放送に切り替わる。そのため、制御部９２は電子番組表を対象ネットワークのものに変更し、以後、同一の処理を繰返す。
【００６１】
テレビジョン受像機９０が受信可能な全てのネットワークにおいて番組の比較が終了した場合は（ステップＳ２３：ＹＥＳ）、検索を終了し、図４のステップＳ９に戻る。また、ステップＳ２２において、検索開始から１年が経過した場合は（ステップＳ２２：ＹＥＳ）、制御部９２はメモリーに記憶されたサービス記述子、イベント記述子、及びシリーズ記述子を削除し検索を終了する。以上、第２の番組検索を終了した。
【００６２】
（２）その他の実施形態：
本発明は様々な変形例が存在する。
テレビジョン受像機９０は、その内部に録画再生部８０を備える意外にも、メディアプレーヤー等の録画再生装置と接続することで、この録画再生装置に対して録画処理を実行させる構成としてもよい。
【００６３】
２度目以降の検索を行なうタイミングとしては、電子番組表が更新される場合に限定されない。例えば、テレビジョン受像機９０のメイン電源がオンされた場合に、再放送番組の検索を行なう構成としてもよい。
【００６４】
本発明にかかるＩＤデーターの構成は一例であり、これに限定されない。
さらに、第１の番組検索において、検索対象とするチャンネルは、ユーザーが視聴したものと同一のチャンネルに限定されず、視聴番組と同一のジャンルの番組を放送する専門チャンネルであってもよい。
【００６５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００６６】
７０…リモコン装置、７１…チャンネルキー、７２…再放送番組検索キー、７３…録画予約キー、８０…録画再生部、９０…テレビジョン受像機、９１…外部メモリー、９２…制御部、９２ａ…タイマー、９３…フロントエンド部、９４…バックエンド部、９４ａ…デスクランブル部、９４ｂ…ＭＰＥＧ多重分離部、９４ｃ…基本デコーダー部、９４ｄ…音声復号部、９５…ディスプレイ、９６…スピーカー、９７…ＯＳＤ回路、９８…リモコン受信部
【図１】
2011124793.tif 000003
【図２】
2011124793.tif 000004
【図３】
2011124793.tif 000005
【図４】
2011124793.tif 000006
【図５】
2011124793.tif 000007
【図６】
2011124793.tif 000008
【図７】
2011124793.tif 000009
【図８】
2011124793.tif 000010
【図９】
2011124793.tif 000011